(57)【要約】【課題】  多穴管の端末部に複数の分岐管をそれぞれ接続でき、しかも、ろう付け作業が容易である多穴管の分岐管への接続構造及びその接続方法を提供する。【解決手段】  外管部２内が仕切り壁３によって複数の連通穴４，５に仕切られた多穴管１の端末部に、外管部２と仕切り壁３との境界に切り込み６を形成すると共に、切り込み６によって仕切り壁３から切断された外管部２の端末部を、端末に向かって外側に拡径するフレア部７に形成し、このフレア部７とした多穴管１の端末部に、各連通穴４，５に各分岐管１０を切り込み６よりも奥位置までそれぞれ挿入し、各分岐管１０を多穴管１にろう付けした。【選択図】      図３
2005195048.tif 000002
【特許請求の範囲】
【請求項１】
外管部（２）内が仕切り壁（３）によって複数の連通穴（４），（５）に仕切られた多穴管（１）の端末部に、前記各連通穴（４），（５）に分岐管（１０）がそれぞれ挿入され、挿入された分岐管（１０）がろう付けによって接続された多穴管（１）の分岐管（１０）への接続構造であって、
前記外管部（２）と前記仕切り壁（３）との境界に、端末から前記分岐管（１０）の挿入代（Ｌ）以内の長さの切り込み（６）を設けたことを特徴とする多穴管（１）の分岐管（１０）への接続構造。
【請求項２】
請求項１記載の多穴管（１）の分岐管（１０）への接続構造であって、
前記多穴管（１）の端末部を、端末に向かって外側に拡径するフレア部（７）に形成したことを特徴とする多穴管（１）の分岐管（１０）への接続構造。
【請求項３】
外管部（２）内が仕切り壁（３）によって複数の連通穴（４），（５）に仕切された多穴管（１ａ）の端末部に、前記外管部（２）と前記仕切り壁（３）との境界に切り込み（６）を形成すると共に、切り込み（６）によって前記仕切り壁（３）から切断された前記外管部（２）の端末部を、端末に向かって外側に拡径加工してフレア部（７）に形成し、このフレア部（７）とした前記多穴管（１）の端末部に、前記各連通穴（４），（５）に分岐管（１０）を前記切り込み（６）よりも奥位置までそれぞれ挿入し、前記各分岐管（１０）を前記多穴管（１）にろう付けしたことを特徴とする多穴管（１）の分岐管（１０）への接続方法。
【発明の詳細な説明】
【技術分野】
【０００１】
本発明は、多穴管の各連通穴に分岐管をそれぞれ接続する多穴管の分岐管への接続構造及びその接続方法に関する。
【背景技術】
【０００２】
従来の多穴管の他管への接続構造としては、図８に示す特許文献１に開示されたものがある。図８に示すように、単穴管１００ａ，１００ｂを溶接によって束ねることによって多穴管１００が構成され、この多穴管１００の端部が大径の単穴管１０１内に挿入されている。そして、互いの接合面を溶接によって固着することによって多穴管１００の端部に単一管１０１が接続されている。
【特許文献１】実公昭６４−６４６５号公報（図２（ｂ））
【発明の開示】
【発明が解決しようとする課題】
【０００３】
ところで、配管の配索経路としては種々の態様があり、複数の流路を同一経路と別経路の混合した経路で配索したい場合がある。例えば、車両用暖房装置では、エンジン冷却部に対し前席用温水ヒータと後席用温水ヒータを並列に配管で接続し、エンジンで温められた冷却水を前席用温水ヒータと後席用温水ヒータに送るような構成とする場合がある。このような車両用暖房装置では、エンジンと後席用温水ヒータ間の供給配管と帰還配管の経路を大部分で同一経路とし、それ以外で別経路に配索することが放熱防止や配管設置スペースの観点から好ましい。
【０００４】
しかしながら、従来の接続構造は、多穴管１００の複数の連通孔を単一管１０１０の連通穴に合流させる合流経路とするに過ぎない。従って、従来では、複数の流路を同一経路と別経路の混合した経路とするような接続構造が提案されていない。
【０００５】
ここで、多穴管内の仕切り壁によって仕切された各連通穴の端部に分岐管をそれぞれ挿入し、ろう付けによって接続する構造が考えられるが、各連通穴が仕切り壁によって仕切られているため、ろう材が隣接する連通穴に回り込むことができない。従って、ろう付け作業が煩雑である。
【０００６】
そこで、本発明は、多穴管の端末部に複数の分岐管をそれぞれ接続でき、しかも、ろう付け作業が容易である多穴管の分岐管への接続構造及びその接続方法を提供することを目的とする。
【課題を解決するための手段】
【０００７】
上記目的を達成する請求項１の発明は、外管部内が仕切り壁によって複数の連通穴に仕切られた多穴管の端末部に、前記各連通穴に分岐管がそれぞれ挿入され、挿入された分岐管がろう付けによって接続された多穴管の分岐管への接続構造であって、前記外管部と前記仕切り壁との境界に、端末から前記分岐管の挿入代以内の長さの切り込みを設けたことを特徴とする多穴管の分岐管への接続構造である。
【０００８】
請求項２の発明は、請求項１記載の多穴管の分岐管への接続構造であって、前記多穴管の端末部を、端末に向かって外側に拡径するフレア部としたことを特徴とする多穴管の分岐管への接続構造である。
【０００９】
請求項３の発明は、外管部内が仕切り壁によって複数の連通穴に仕切された多穴管の端末部に、前記外管部と前記仕切り壁との境界に切り込みを形成すると共に、切り込みによって前記仕切り壁から切断された前記外管部の端末部を、端末に向かって外側に拡径加工してフレア部とし、このフレア部とした前記多穴管の端末部に、前記各連通穴に分岐管を前記切り込みよりも奥位置までそれぞれ挿入し、前記各分岐管の外周を前記多穴管の内面にろう付けしたことを特徴とする多穴管の分岐管への接続方法である。
【発明の効果】
【００１０】
請求項１の発明によれば、多穴管の連通穴にそれぞれ分岐管を挿入し、多穴管と各分岐管との間を接続するろう付け工程では、溶融したろう材が切り込みを介して隣接する連通穴に回り込むことができ、ろう材が分岐管の全周に亘って容易に行き渡る。以上より、多穴管の端末部に複数の分岐管をそれぞれ接続でき、しかも、ろう付け作業が容易である。
【００１１】
請求項２の発明によれば、請求項１の発明の効果に加え、多穴管のフレア部と各分岐管との間に略断面三角状の隙間ができ、この隙間が溶融したろう材の受けスペースとなるため、ろう材が多穴管や分岐管の外側に漏れたり、漏れたろう材が垂れたりすることを防止できる。
【００１２】
請求項３の発明によれば、多穴管の連通穴にそれぞれ分岐管を挿入し、多穴管と各分岐管との間を接続するろう付け工程では、溶融したろう材が切り込みを介して隣接する連通穴に回り込むことができ、ろう材が分岐管の全周に亘って容易に行き渡る。以上より、多穴管の端末部に複数の分岐管をそれぞれ接続でき、しかも、ろう付け作業が容易である。又、多穴管のフレア部と各分岐管との間に略断面三角状の隙間ができ、この隙間が溶融したろう材の受けスペースとなるため、ろう材が多穴管や分岐管の外側に漏れたり、漏れたろう材が垂れたりすることを防止できる。
【発明を実施するための最良の形態】
【００１３】
以下、本発明の一実施形態を図面に基づいて説明する。
【００１４】
図１〜図７は本発明の一実施形態を示し、図１は多穴管１の端末部に２本の分岐管１０を接続した斜視図、図２は多穴管１の端末部に２本の分岐管１０を接続した分解斜視図、図３は多穴管１に２本の分岐管１０を接続した状態の断面図、図４は加工前の多穴管１ａの斜視図、図５は多穴管１の端末部の加工工程を示す断面図、図６は多穴管１の端末部の加工工程を示す断面図、図７は加工後の多穴管１の斜視図である。
【００１５】
図１〜図３に示すように、多穴管１は、円筒状の外管部２とこの外管部２内を仕切る仕切り壁３とから一体に形成されており、仕切り壁３によって多穴管３の内部に２つの半円状の連通穴４，５が形成されている。多穴管１の端末部の外管部２と仕切り壁３との境界には、端末から分岐管１０の挿入代Ｌ以内の長さの切り込み６が形成されている。又、多穴管１の端末部は、端末に向かうに従って徐々に外側に拡径するフレア部７に形成されている。
【００１６】
一方、各分岐管１０は、その端末部が半円状で、且つ、端末部以外が円形形状を有し、内部に単一の連通穴１０ａが形成されている。各分岐管１０の端末部の外周形状及び寸法は、多穴管１の連通穴４，５の形状にほぼ一致するように設定されている。
【００１７】
そして、多穴管１の端末部に、各連通穴４，５に分岐管１０がそれぞれ挿入され、挿入された分岐管１０がろう付け部１１によって接続されている。
【００１８】
次に、多穴管１の分岐管１０への接続方法を図４から図７を用いて説明する。図４に示すように、加工前の多穴管１ａは、仕切り壁３で仕切された２つの半月状の連通穴４，５を有するストレートな形状を有する。
【００１９】
このストレート形状の多穴管１ａの端末部を、図５に示すクランプ部材１２とパンチングロッド１３によって加工する。加工工程を説明する前にクランプ部材１２とパンチングロッド１３の構成を説明する。
【００２０】
クランプ部材１２は、多穴管１ａを保持する保持穴１２ａを有し、この保持穴１２ａのパンチ進入面側の全周には、先端に向かうに従って徐々に外側に拡径するリング状のテーパ面１２ｂが形成されている。このテーパ角ａは例えば４５度に設定されている。パンチングロッド１３は、前記多穴管１ａの内周径をリング先端径とする先端リング部１３ａを有し、この先端リング部１３ａはクランプ部材１２の保持穴１２ａに進退自在に設けられている。先端リング部１３ａの外周面の全周は、先端側から基端側に向かうに従って徐々に拡径するテーパ面１３ｂに形成されている。このテーパ面１３ｂのテーパ角ｂは、クランプ部材１２のテーパ角ａと同じ角度、例えば４５度に設定されている。
【００２１】
次に、多穴管１ａの端末部の加工について説明する。図５に示すように、多穴管１ａの端末部をクランプ部材１２の保持穴１２ａに配置して固定する。次に、パンチングロッド１３をクランプ穴１２ａに向かって挿入する。すると、図６に示すように、このパンチングロッド１３の挿入過程で先端リング部１３ａが多穴管１ａの仕切り壁３と外管部２の境界位置に当接し、この境界部分にパンチングロッド１３の進入に従って切り込み６が形成される。又、仕切り壁３に対し切り込み６によって切断された外管部２の内面は、先端リング部１３ａの進入に従って先端リング部１３ａのテーパ面１３ｂに押圧され、この押圧力によって徐々に拡径される。拡径された端末部の外面は、クランプ部材１２のテーパ面１２ｂに規制を受ける。以上より、図７に詳しく示すように、多穴管１の端末部は、その仕切り壁３と外管部２の境界に切り込み６が形成されると共に切り込み６によって仕切り壁３から分離された外管部２がフレア部７に加工される。
【００２２】
次に、多穴管１の端末部に、その各連通穴４，５に分岐管１０をそれぞれ挿入する。ここで、図３に示すように、各分岐管１０の挿入代Ｌが切り込み６よりも奥になる位置まで挿入する。
【００２３】
次に、多穴管１と分岐管４，５の間、換言すればフレア部７の内周面に沿ってろう材片（図示せず）をリング状に介在させる。ここで、多穴管１の外管部２と仕切り壁３の端末部には切り込み６が形成され、且つ、外管部２の端末部がフレア部７として形成されているため、ろう材片（図示せず）をリング状に容易に介在できる。
【００２４】
次に、仮接続した多穴管１と分岐管１０を加熱する。すると、ろう材片（図示せず）が溶融し、溶融したろう材が固化すると、多穴管１と各分岐管１０とがろう付け部２０（図３に示す）によって接続される。
【００２５】
上記ろう付け工程では、溶融したろう材が切り込み６を介して隣接する連通穴４，５に回り込むことができ、ろう材が分岐管１０の全周に亘って容易に行き渡る。以上より、多穴管１の端末部に複数の分岐管１０をそれぞれ接続でき、しかも、ろう付け作業が容易である。
【００２６】
この実施形態では、多穴管１の端末部が端末に向かって外側に拡径するフレア部７に形成されたので、多穴管１のフレア部７と各分岐管１０との間に、端末に向かって広がる略断面三角状の隙間ができ、この隙間が溶融したろう材の受けスペースとなるため、ろう材が多穴管１や分岐管１０の外側に漏れたり、漏れたろう材が垂れたりすることを防止できる。
【００２７】
尚、前記実施形態では、多孔管１は２つの連通穴４，５を有するが、３つ以上の連通穴を有し、３本以上の分岐管１０が接続されるものであっても略同様に本発明を適用できることはもちろんである。
【図面の簡単な説明】
【００２８】
【図１】本発明の一実施形態を示し、多穴管の端末部に２本の分岐管を接続した斜視図である。
【図２】本発明の一実施形態を示し、多穴管の端末部に２本の分岐管を接続した分解斜視図である。
【図３】本発明の一実施形態を示し、多穴管に２本の分岐管を接続した状態の断面図である。
【図４】本発明の一実施形態を示し、加工前の多穴管の斜視図である。
【図５】本発明の一実施形態を示し、多穴管の端末部の加工工程を示す断面図である。
【図６】本発明の一実施形態を示し、多穴管の端末部の加工工程を示す断面図である。
【図７】本発明の一実施形態を示し、加工後の多穴管の斜視図である。
【図８】従来例を示し、多穴管の単一管への接続構造を示す断面図である。
【符号の説明】
【００２９】
１  多穴管
１ａ  加工前の多穴管
２  外管部
３  仕切り壁
４，５  連通穴
６  切り込み
７  フレア部
１０  分岐管
２０  ろう付け部
【図１】
2005195048.tif 000003
【図２】
2005195048.tif 000004
【図３】
2005195048.tif 000005
【図４】
2005195048.tif 000006
【図５】
2005195048.tif 000007
【図６】
2005195048.tif 000008
【図７】
2005195048.tif 000009
【図８】
2005195048.tif 000010